(57)【要約】  吊り下げ構造から構成された垂直アノードのタイプの電気化学セルのための安全なアノードであって、第１の水平バーと、チタン外面層を有する銅またはアルミニウムコアによって定義される第２の垂直配電バーと、両側面上に第２の配電バーに取り付けられたコーティングされたまたは無コーティングのチタンアノードプレートとに基づき、その結果安全なアノードは、第２の垂直配電バーの少なくとも１つと、少なくとも１つのコーティングされたまたは無コーティングのチタンアノードプレートとの間に配置された、少なくとも１つの電流制限器アセンブリ備えたアダプタ要素を組み込み、垂直配電バーをコーティングされたまたは無コーティングのチタンアノードプレートに接続する。【選択図】なし【特許請求の範囲】
【請求項１】
吊り下げ構造を備える垂直アノードのタイプの電気化学セルのためのアノードであって、
−  水平電流供給導体バーと、
−  電流供給バーに接続された１つまたは複数の垂直配電バーであって、
・  銅、アルミニウム、鉛、およびそれらの合金からなる群から選択された導電性要素のコア、ならびに
・  チタンまたはその合金、バルブ金属またはその合金、および鉛またはその合金からなる群から選択された材料の外層または外皮
を備えた配電バーと、
−  垂直配電バーに関連付けられた少なくとも１つのコーティングされたまたは無コーティングのチタンアノードプレートと
を有する電気化学セルのためのアノードにおいて、
アノード（１）は、垂直配電バー（３）の少なくとも１つとコーティングされたまたは無コーティングのチタンアノードプレート（４）の少なくとも１つとの間に配置されたアダプタ要素（６）を組み込み、アダプタ要素（６）は電流制限器（１０）を有する少なくとも１つの電流制限器アセンブリ（７）を備え、前記電流制限器アセンブリ（７）は、垂直配電バー（３）をコーティングされたまたは無コーティングのチタンアノードプレート（４）に接続するように、少なくとも１つの垂直配電バー（３）および少なくとも１つのコーティングされたまたは無コーティングのチタンアノードプレート（４）に関連付けられることを特徴とする、電気化学セルのためのアノード。
【請求項２】
アダプタ要素（６）が、垂直配電バー（３）およびチタンでコーティングされたアノードプレート（４）に取り付けられる、請求項１に記載の電気化学セルのためのアノード。
【請求項３】
アノードのアダプタ要素（６）がチタンストリップ（８）を備え、前記チタンストリップ（８）が少なくとも１つの電流制限器アセンブリ（７）を、前記チタンストリップ（８）が前記垂直配電バー（３）に取り付けられ、前記電流制限器アセンブリ（７）が前記対応するコーティングされたまたは無コーティングのチタンアノードプレート（４）に取り付けられるように保持する、請求項１に記載の電気化学セルのためのアノード。
【請求項４】
前記アノードの前記アダプタ要素（６）が、２つの端部を有するチタンストリップ（８）を備え、前記チタンストリップ（８）が各端部に１つずつ２つの電流制限器アセンブリ（７）を、前記チタンストリップ（８）が前記垂直配電バー（３）に取り付けられ、および前記電流制限器アセンブリ（７）のペアが前記対応するコーティングされたまたは無コーティングのチタンアノードプレート（４）に取り付けられるように保持する、請求項１に記載の電気化学セルのためのアノード。
【請求項５】
前記アノードの前記アダプタ要素（６）が、前記バー（３）の前記垂直平面に対してわずかな角度を定義する前記垂直配電バー（３）に、前記電流制限器アセンブリ（７）に取り付けられた前記コーティングされたまたは無コーティングのチタンアノードプレート（４）も同じ角度を有するように取り付けられる、請求項１に記載の電気化学セルのためのアノード。
【請求項６】
前記アノードが２つ以上のアダプタ要素（６）を備え、各アダプタ要素（６）は、他の角度とは異なる大きさを有する前記バー（３）の前記垂直平面に対してわずかな角度を定義する前記垂直配電バー（３）に、前記電流制限器アセンブリ（７）に関連付けられた前記アノードプレート（４）も同じ角度を有するように取り付けられる、請求項５に記載の電気化学セルのためのアノード。
【請求項７】
角度が、バー（３）の垂直平面に対して３．２５度以下である、請求項５または６に記載の電気化学セルのためのアノード。
【請求項８】
前記バー（３）の前記垂直平面に対して前記アダプタ要素（６）によって定義される角度の大きさが、前記垂直配電バー（３）の長さに沿って下から上に増加する、請求項６または７に記載の電気化学セルのためのアノード。
【請求項９】
前記チタンストリップ（８）が管状構成を有し、直角に曲げられた少なくとも１つのシート（１４）に関連付けられたその中央内部部分に前記電流制限器（１０）を組み込み、前記シート（１４）が前記シート（１４）が取り付けられた対応するアノードプレート（４）の外側に延びる、請求項３に記載の電気化学セルのためのアノード。
【請求項１０】
前記アダプタ要素（６）の前記電流制限器（１０）が、チタンストリップ（８）上に挿入されたエポキシ樹脂または同様の材料のブロック（１５）内に埋め込まれる、請求項３に記載の電気化学セルのためのアノード。
【請求項１１】
前記電流制限器アセンブリ（７）が、チタンストリップ（８）を収容する絶縁材料（１３）を有したボックス（１２）を備え、前記絶縁材料（１３）は、端子によって前記チタンストリップ（８）に、およびもう１つの端子によって前記ボックス（１２）に接続された、２つの電流制限器（１０）を組み込む、請求項１に記載の電気化学セルのためのアノード。
【請求項１２】
電流制限器アセンブリ（７）がバイメタルのチタン／銅の部片（９）のペアを備え、銅表面が互いに対向し、それらの間に電流制限器（１０）が挿入され、ポリマー層および両側面上の銅のそれぞれの層から構成され、両方の相対するバイメタルの部片（９）の銅の幅に対応する横断する中央および周辺のくぼみを有し、前記くぼみはエポキシ樹脂（１１）または同様の絶縁体によって満たされる、請求項１に記載の電気化学セルのためのアノード。
【請求項１３】
電流制限器アセンブリ（７）が、絶縁材料（１３）を含んだボックス（１２）である少なくとも１つの外部境界と、チタンストリップ（８）である少なくとも１つの内部境界とを備え、前記少なくとも１つの内部境界は前記少なくとも１つの外部境界内に部分的にまたは完全に収容され、前記少なくとも１つの外部境界および少なくとも１つの内部境界は、前記少なくとも１つの内部境界が取り付けられ、前記１つまたは複数の垂直配電バー（３）の少なくとも１つの一部分を部分的に包むように、Ｕ字形輪郭を有し、前記少なくとも１つの外部境界は少なくとも１つのアノードプレート（４）に関連付けられまたは取り付けられる、請求項１１に記載の電気化学セルのためのアノード。
【請求項１４】
請求項１から１３のいずれか一項に記載の少なくとも１つのアノードを備えることを特徴とする、金属の電解採取のための電気化学セル。
【請求項１５】
金属が非鉄金属である、請求項１４に記載の電気化学セル。
【発明の詳細な説明】
【技術分野】
【０００１】
本明細書は電気化学セルのための安全なアノードについて述べており、銅などの金属の電解採取のためのセルに適用可能である。
【背景技術】
【０００２】
最初に、容器、タンク、または電気化学セルは、他の成分の中でも、堆積されることになる金属から作られた電解質溶液によって満たされ、その中に交互の位置においてアノード／カソードペアが沈められ、これは電流が供給されたとき、カソード上に金属を堆積すると言うことができる。
【０００３】
これは垂直アノードが金属の電解採取のためにセル内で用いられるとき、垂直アノードは水平電流供給導体バーと、電流供給バーに接続された垂直配電バーとに基づいた吊り下げ構造から構成され、その配電バーは銅またはアルミニウムコア、およびチタン外層または外皮によって定義されることを意味する。
【０００４】
従ってコーティングされたまたは無コーティングのチタンアノードプレートは配電バーに電気的に接続され、陽極電気分解はアノードプレートの表面上で行われる。
【０００５】
従来型アノードは、水平電流供給バー当たりの垂直バーの数の点で複数の組み合わせを呈する。
【０００６】
示されたように、金属の電解採取のための過程において用いられる従来型垂直バーは、銅またはアルミニウムコア、およびチタン外層または外皮を有するバイメタルのバーである。銅またはアルミニウムは、大電流の効果的な伝達のために必要な低い電気抵抗率を呈し、チタンは同時に、コーティングされたまたは無コーティングのチタンアノードプレートのこれらの垂直バーへの接続を可能にしながら、電解質の化学的腐食に対して銅またはアルミニウムを保護する。
【０００７】
このようにして、最適な出力および最大能力を得るために、金属の電解採取のための過程において用いられるアノード、および具体的にはアノード表面は、カソードの近くで動作し、短いアノード−カソード距離に対して大きな表面積、例えば５ｃｍの離隔距離で１００×１００センチメートルの表面を有する。これは必然的に、カソード表面上のいずれかの点において平坦さの変形または変化があった場合、アノードとカソードとの間の電気的接触、または言い換えれば短絡のリスクをもたらす。
【０００８】
陰極表面はもともと不安定であり、なぜならそれらの厚さは生産過程自体の間に急速に変化するからであり、およびまたその表面上の単一の点でのカソードの厚さにおける増加はアノード−カソード距離を減少させ、これは電気抵抗を減少させ、オームの法則を適用すると問題の点におけるイオン電流を増加させるからである。
【０００９】
電流またはイオン堆積を増加させることはそれらの点に堆積された金属の厚さを増加させ、それによりこれらの事象は明らかに正帰還系を呈し、これは知られているように本質的に不安点なプロセスであり、これらの場合においてアノード−カソード接触または短絡を生じることになる。
【００１０】
さらにアラインメント誤差または既存の機械的変形も、直接のアノード−カソード接触、または短絡を引き起こすことになる。
【００１１】
アノードとカソードとの間に直接の電気的接触が確立されると、電解質とアノードとの間の潜在的な電気化学的バリアは消失し、電解質の比較的高い抵抗も除去されることになる。これらの状況において電流は許容できない値まで急上昇し、コーティングされたまたは無コーティングのチタンアノードプレートを損傷または破壊し同時に、著しい生産損失を引き起こす。
【００１２】
また金属および具体的には銅の電解採取のためのセル内のアノードの作業過程において、「酸ミスト」として知られている現象である、硫酸を有する酸素気泡が生成される。この「酸ミスト」は重大な環境汚染問題を生じ、工場作業者の健康に直接影響を及ぼす可能性があり、セル室内のマスクの使用が必要となり、工場が位置する領域内の環境の悪化を生じ得る。
【００１３】
例えば銅電解採取の場合において、電解質は主として硫酸および硫酸銅の溶液から作られる。その正常な電気分解過程において、アノードは硫酸を保持した汚染された酸素気泡を生成し、これらの気泡の大部分は電解質から出て、周囲雰囲気の一部となり、酸ミストとして知られているものを生成する。
【００１４】
さらに、電流制限器は特定の値を超えるすべての電流に反応し、その電流を打ち消す装置であり、この値は特定の装置またはモデルの特性である。
【００１５】
よく知られている例は、我々の家庭内のヒューズであり、ネットワーク内で短絡または線材の直接接触があったとき、ヒューズは飛ばされて切断し、我々は暗闇に置かれる。それにより我々は、再び照明をもたらすためにヒューズをリセットまたは交換しなければならない。我々はこの例を用いてリセットすることの概念を説明しさらに、物理的短絡がもはや存在しなくなった場合、外部の介入なしに、ある期間の後に自動的に照明をもとにもどす可能性に関してより詳しく立ち入る。この場合ヒューズは自動リセットヒューズである。
【００１６】
短絡に対して保護するための２つの方法があり、一方は電流を打ち消すまたはゼロに強制することであり、他方は電流を許容できるより低い値まで変調することである。両方の場合が電流制限器と見なされるが、我々は前者をデジタルオン−オフ制限器、後者をアナログ制限器と呼ぶことにする。
【００１７】
また我々は、金属の電解採取のためのアノード構造を述べた、特許文献ＷＯ  ２０１５／０７９０７２を引用することができ、これは水平支持バーと、プラスチックまたはエポキシでコーティングされたおよび垂直バーとを備え、垂直バーには２５から２２５ｃｍ２の面積を有するサブメッシュと呼ばれるアノードプレートが取り付けられ、アノードプレートにはそれぞれの配線および／またはプリント回路によって電気が供給され、それらは一連の絶縁構造によって保護され、プラスチックまたはエポキシでコーティングされたバーの内側に設置される。
【発明の概要】
【００１８】
本明細書の表題に表されるように以下の本発明は、電気化学セルにおいて、および具体的には金属の電解採取において用いられる、垂直アノードのタイプの電気化学セルのための安全なアノードに関し、アノードは吊り下げ構造からなり、水平電流供給導体バーと、電流供給バーに接続された垂直配電バーであって、銅またはアルミニウムコア、およびチタン外層または外皮によって定義される配電バーとに基づく。
【００１９】
この従来型実施形態に基づいて本発明の第１の目的は、コーティングされたまたは無コーティングのチタンアノードプレートを破壊または損傷し得る短絡を防止するために、垂直配電バーと、コーティングされたまたは無コーティングのチタンアノードプレートとの間の電気的接続が、電流制限器アセンブリを備えたそれぞれのアダプタ要素によってもたらされることである。
【００２０】
本発明の第２の目的は、硫酸を有する酸素気泡の放散を、それらをアノードの中央部分を通して導いて低減することであり、その理由のためにアノードプレートは垂直配電バーによって定義される垂直平面に対してある角度で配置され、それらを運ぶ煙突効果を生成し、捕集器による捕集を容易にし、有害な「酸ミスト」およびその重大な環境への影響を回避する。
【００２１】
これは結果として著しい経済的利点を生じ、なぜなら一方ではコーティングされたまたは無コーティングのチタンアノードプレートへの破壊または損傷を防止し、他方では短絡が起きた場合、影響を受けたプレートは破壊されず、他のプレートは機能し続けるからである。
【００２２】
本発明は、吊り下げ構造を備えた垂直アノードのタイプの、請求項１に定義されるような電気化学セルのためのアノードに関し、
−  水平電流供給導体バーと、
−  電流供給バーに接続された１つまたは複数の垂直配電バーであって、
・  銅、アルミニウム、鉛、およびそれらの合金からなる群から選択された導電性要素のコア、ならびに
・  チタンまたはその合金、バルブ金属またはその合金、および鉛またはその合金からなる群から選択された材料の外層または外皮
を備えた配電バーと、
−  垂直配電バーに関連付けられた少なくとも１つのコーティングされたまたは無コーティングのチタンアノードプレートと
を有しまたは備える電気化学セルのためのアノードにおいて、アノード（１）は、垂直配電バー（３）の少なくとも１つとコーティングされたまたは無コーティングのチタンアノードプレート（４）の少なくとも１つとの間に配置されたアダプタ要素（６）を組み込み、アダプタ要素（６）は電流制限器（１０）を有する少なくとも１つの電流制限器アセンブリ（７）を備え、電流制限器アセンブリ（７）は、垂直配電バー（３）をコーティングされたまたは無コーティングのチタンアノードプレート（４）に接続するように、少なくとも１つの垂直配電バー（３）および少なくとも１つのコーティングされたまたは無コーティングのチタンアノードプレート（４）に関連付けられることを特徴とする、電気化学セルのためのアノードに関する。
【００２３】
「垂直配電バー」という表現によって、（垂直）吊り下げ姿勢に耐えることができ、アダプタ要素に関連付けられまたは取り付けられたあらゆる角柱状要素が意味される。１つまたは複数の「垂直配電バー」は円形、卵形、または多角形の断面を有することができ、それらは異なる縦横比を呈することができ、極限では例えば鉛パネルなどのパネルとすることができる。加えて「アノードプレート」という表現によって、アノードとして用いられるのに適し、酸素または塩素を発達させることができる少なくとも１つの表面を呈する、任意の形状およびサイズの要素が意味され、より具体的には陽極プレートは平坦な、湾曲したまたは部分的に湾曲した、波形の、中実の、多孔質の、小孔のある、切断された、エッチングされた、または穴のあいた材料とすることができる。
【００２４】
この要約は、吊り下げ構造から構成された垂直アノードのタイプの電気化学セルのための安全なアノードを述べ、
−  水平電流供給導体バーと、
−  電流供給バーに接続された垂直配電バーであって、
・銅またはアルミニウムコア、および
・チタン外層または外皮
から作られた配電バーと、
−  垂直配電バーに関連付けられた少なくとも１つのコーティングされたチタンアノードプレートと
に基づき、その結果安全なアノードは、垂直配電バーの少なくとも１つと少なくとも１つのコーティングされたチタンアノードプレートとの間に配置された電流制限器アセンブリを備えたアダプタ要素を組み込み、そのアダプタ要素は対応する垂直配電バーを、アダプタ要素に取り付けられたコーティングされたチタンアノードプレートに接続する、電気化学セルのための安全なアノードを述べる。
【００２５】
他の実施形態において、アノードの吊り下げ構造は具体的には、
−  水平電流供給導体バーと、
−  電流供給バーに接続された垂直配電バーであって、
・銅またはアルミニウムコア、および
・チタン外層または外皮
からなる配電バーと、
−  垂直配電バーに関連付けられた少なくとも１つのコーティングされたチタンアノードプレートと
からなる。
【００２６】
本発明の１つの実用的実施形態において、安全なアノードのアダプタ要素は、垂直配電バーおよびコーティングされたまたは無コーティングのチタンアノードプレートに直接取り付けられ、垂直配電バーをアノードプレートに接続する電流制限器アセンブリによって定義される。
【００２７】
これはアダプタ要素が、電流制限器アセンブリ自体によって定義されることを意味する。
【００２８】
本発明の実用的実施形態の第１の変形形態において、安全なアノードのアダプタ要素は、電流制限器アセンブリを保持するチタンストリップによって定義され、チタンストリップは垂直配電バーおよび対応するコーティングされたまたは無コーティングのチタンアノードプレートに取り付けられ、そのアノードプレートは２５０から１６７０ｃｍ２の表面積を有し、電流制限器アセンブリに取り付けられる。
【００２９】
本発明の実用的実施形態の第２の変形形態において、安全アノードアダプタ要素は、その２つの端部のそれぞれに１つずつ、２つの電流制限器アセンブリを保持するチタンストリップによって定義され、チタンストリップは垂直配電バーに取り付けられ、および電流制限器アセンブリのペアは、対応するコーティングされたまたは無コーティングのチタンアノードプレートに取り付けられる。
【００３０】
同様に、少なくとも１つの電流制限器アセンブリを備えた安全アノードアダプタ要素は、対応する垂直配電バーに取り付けられ、垂直平面に対してわずかな角度を定義し、安全アノードアダプタ要素に取り付けられたコーティングされたまたは無コーティングのチタンアノードプレートは同じ角度を有する。「わずかな角度」として、垂直線に対して小さい角度、すなわち小さな大きさの角度と理解されるべきである。図に示されるようにわずかな角度は、バー（３）の垂直平面に対して３．２５度以下であることが好ましい。より好ましい実施形態においてわずかな角度は、バー（３）の垂直平面に対して３度である。
【００３１】
少なくとも１つの電流制限器アセンブリを備えたアノードアダプタ要素は、それらが搭載されるわずかな角度において異なる大きさ有することができ、それらに関連付けられるアノードプレートも、垂直平面に対して異なる角度に応じて角度が付けられる。
【００３２】
さらに少なくとも１つの電流制限器アセンブリを備え、それらが搭載されたわずかな角度において異なる大きさを有するアノードアダプタ要素は、対応する第２の垂直配電バーに沿って、下から上へ増加する大きさを有して取り付けられ、酸素気泡および酸の上へ向かう流れに対する煙突効果を引き起こす。
【００３３】
アダプタ要素の一部を形成するチタンストリップは、管状構成を有することができ、直角に曲げられた少なくとも１つのシートに関連付けられたその中央内部部分に電流制限器を組み込み、シートは外側に延び、対応するアノードプレートがシートに取り付けられる。
【００３４】
同様に、アダプタ要素の一部を形成するチタンストリップは、その上に挿入されたエポキシ樹脂または同様の材料のブロックを有することができ、その中に電流制限器が埋め込まれる。
【００３５】
アノードが生き残ることは通常、前述の短絡によって影響され、他の原因によらないので、アノードはそれが著しい損傷を被らずに短絡に耐え、動作可能のままであるとき、安全であると言われることができる。
【００３６】
従ってアダプタ要素の一部を形成し、電流制限器がその中に一体化された電流制限器アセンブリは、ボックスによって定義される。ボックスという用語は、チタンストリップを完全にまたは一部を、収容するまたは含むハウジング、ケース、部分的または完全なエンクロージャを意味する。ボックスは、その意図された目的に対して、および金属の電解採取のための電解槽の酸性環境に浸らされることに対して適することを条件として、任意の材料から作られることができる。好ましいケースにおいてボックスは、上述の目的に適した導電性材料から作られ、およびチタンまたはその合金から作られることがより好ましい。ボックスは、特定の実施形態においてチタンストリップが、チタンストリップを格納するボックスの絶縁材料によって絶縁されるように、絶縁材料を備えることができ、備えなくてもよく、その絶縁材は、端子によって中間のチタンストリップに、および別の端子によってボックスに接続された１つ、２つ、またはそれより多い電流制限器を組み込む。
【００３７】
同様に、アダプタ要素の一部を形成し、電流制限器がその中に一体化された電流制限器アセンブリは、バイメタルのチタン／銅の部片のペアによって定義され、銅表面は互いに対向し、それらの間に電流制限器が挿入され、ポリマー層および両面上の銅のそれぞれのシートから構成され、両方の相対するバイメタルの部片の銅の幅に対応する横断する中央および周辺のくぼみが具現化され、くぼみはエポキシ樹脂または同様の絶縁体によって満たされる。
【００３８】
本発明の他の目的は、前に定義されたように少なくとも１つのアノードを備えた、金属の電解採取のための電気化学セルである。好ましい場合においてセルは、非限定的に銅またはニッケルを含む、非鉄金属の電解採取のためのものである。
【００３９】
以下でもたらされる説明を完全なものにするため、および本発明の特徴をより容易に理解できるようにする助けとする目的のために、本明細書には本発明の最も特徴的な詳細を表す、例示のためであり限定するものではない一組の図が添付される。
【図面の簡単な説明】
【００４０】
【図１】水平電流供給バー、垂直配電バー、および垂直配電バーに関連付けられた２つのコーティングされたまたは無コーティングのチタンアノードプレートが見られる、従来型アノードの側面図である。
【図２】コーティングされたまたは無コーティングのチタンアノードプレートを垂直バーに溶接することによる従来型の取り付けのそれぞれ正面図および平面図である。
【図３】コーティングされたまたは無コーティングのチタンアノードプレートを垂直バーに溶接することによる従来型の取り付けのそれぞれ正面図および平面図である。
【図４】電流制限器アセンブリを備えたアダプタ要素を通じた、コーティングされたまたは無コーティングのチタンアノードプレートの垂直配電バーへの取り付けのそれぞれ正面図および平面図である。
【図５】電流制限器アセンブリを備えたアダプタ要素を通じた、コーティングされたまたは無コーティングのチタンアノードプレートの垂直配電バーへの取り付けのそれぞれ正面図および平面図である。
【図６】第１の実用的実施形態において指定されるようにチタンストリップおよび電流制限器アセンブリを備えたアダプタ要素を通じた、コーティングされたまたは無コーティングのチタンアノードプレートの垂直配電バーへの取り付けのそれぞれ正面図および平面図である。
【図７】第１の実用的実施形態において指定されるようにチタンストリップおよび電流制限器アセンブリを備えたアダプタ要素を通じた、コーティングされたまたは無コーティングのチタンアノードプレートの垂直配電バーへの取り付けのそれぞれ正面図および平面図である。
【図８】チタンストリップから構成され、その端部においてそれぞれの電流制限器アセンブリを有する、垂直配電バーに取り付けられたアダプタ要素の正面図である。
【図９】第２の実用的実施形態によりアダプタ要素が、チタンストリップおよび２つの電流制限器アセンブリを備える実施形態の平面図である。
【図１０】２つの実用的実施形態による、チタンストリップの端部への電流制限器アセンブリの接続のそれぞれの断面図である。
【図１１】２つの実用的実施形態による、チタンストリップの端部への電流制限器アセンブリの接続のそれぞれの断面図である。
【図１２】チタンストリップおよび２つの電流制限器アセンブリから構成されたアダプタ要素の、垂直バーへの取り付けの正面図、およびそれぞれのアノードプレートが電流制限器アセンブリに取り付けられた平面図である。
【図１３】チタンストリップおよび２つの電流制限器アセンブリから構成されたアダプタ要素の、垂直バーへの取り付けの正面図、およびそれぞれのアノードプレートが電流制限器アセンブリに取り付けられた平面図である。
【図１４】管状構成を有し、直角に曲げられた延びたシートに関連付けられたその内側に少なくとも１つの電流制限器を組み込み、対応するアノードプレートがシートに取り付けられた、アダプタ要素の一部を形成するチタンストリップの実用的実施形態の第１の変形形態の平面図である。
【図１５】電流制限器自体がエポキシ樹脂または同様の材料のブロック内に埋め込まれ、前述のチタンストリップは制限器によって分割され、チタンストリップは一方の端部において垂直バーに、および他方において対応するアノードプレートに取り付けられた、アダプタ要素の一部を形成するチタンストリップの実用的実施形態の第２の変形形態の平面図である。
【図１６】アノードプレートが垂直平面に対してわずかな角度で搭載される、実用的実施形態のそれぞれ正面図、側面図、および平面図である。
【図１７】アノードプレートが垂直平面に対してわずかな角度で搭載される、実用的実施形態のそれぞれ正面図、側面図、および平面図である。
【図１８】アノードプレートが垂直平面に対してわずかな角度で搭載される、実用的実施形態のそれぞれ正面図、側面図、および平面図である。
【図１９】どのようにアノードプレートがわずかな角度を有し、その角度が下側部分から上側部分まで、言い換えれば下から上へ増加し、煙突効果を生成するかを示す、一連のコーティングされたまたは無コーティングのチタンアノードプレートが第２の垂直配電バーに取り付けられた実用的実施形態の正面図および平面図である。
【図２０】どのようにアノードプレートがわずかな角度を有し、その角度が下側部分から上側部分まで、言い換えれば下から上へ増加し、煙突効果を生成するかを示す、一連のコーティングされたまたは無コーティングのチタンアノードプレートが第２の垂直配電バーに取り付けられた実用的実施形態の正面図および平面図である。
【図２１】アノードプレートの角度が付けられた構成によって生成される煙突効果の結果として、気泡が追従する経路が示される、前の図の実施形態の側面図である。
【図２２】電流制限器を有する電流制限器アセンブリと、Ｕ字形状を有し垂直バーに取り付けられたチタンストリップである内部境界とを備え、チタンストリップはＵ字形容器として形作られたボックスである外部境界内に収容された、アダプタ要素の取り付けの正面図、および電流制限器アセンブリに取り付けられたそれぞれのアノードプレートを有する平面図である。
【図２３】電流制限器を有する電流制限器アセンブリと、Ｕ字形状を有し垂直バーに取り付けられたチタンストリップである内部境界とを備え、チタンストリップはＵ字形容器として形作られたボックスである外部境界内に収容された、アダプタ要素の取り付けの正面図、および電流制限器アセンブリに取り付けられたそれぞれのアノードプレートを有する平面図である。
【発明を実施するための形態】
【００４１】
前述の図に示されるように、および指定された番号付けによれば、従来型構成から始めてどのようなものであるかが分かり、そこではアノード１は電流供給導体バー２と、少なくとも１つのコーティングされたまたは無コーティングのチタンアノードプレート４が取り付けられた一連の垂直配電バー３とに基づく、吊り下げ構造から構成され（本明細書の以下ではこれらを単にアノードプレートと呼ぶ）、図面の図１は実用的実施形態において、アノードがどのように２つのアノードプレート４を有するかを示す。従来型実施形態においてアノードプレート４は、図面の図２に示されるようにスポット溶接５によって垂直配電バー３に取り付けられる。
【００４２】
上述の従来型構成から始めて本発明の第１の目的は、図４に示されるように少なくとも１つの電流制限器アセンブリ７を備えたアダプタ要素６の組み込みに基づき、それを通して対応する垂直配電バー３からアノードプレート４への電流供給または接続が確立される。
【００４３】
図４および５により１つの実用的実施形態において、アダプタ要素６は電流制限器アセンブリ７を備え、これは垂直配電バー３およびアノードプレート４に直接取り付けられ、その結果電流は垂直配電バー３から電流制限器７を通ってアノードプレートに到達する。この実施形態では電流制限器アセンブリ７自体が、アダプタ要素６として作用する。
【００４４】
さらに図面の図６および７によれば、実用的実施形態の第１の変形形態においてアダプタ要素６は、その一方の端部において垂直配電バー３に取り付けられ、他方の端部において電流制限器アセンブリ７を組み込む、チタンストリップ８によって定義され、一方、図面の図８によれば、実用的実施形態の第２の変形形態においてアダプタ要素６は、垂直配電バー３に取り付けられたチタンストリップ８から作られ、これは各端部に両方の電流制限器アセンブリ７を有し、それらにはそれぞれのアノードプレート４が取り付けられ、電流は垂直配電バー３からチタンストリップ８および対応する電流制限器７を通って、アノードプレート４に到達する。
【００４５】
電流制限器アセンブリは、自動リセット型であることが好ましく、当業界において入手可能な任意の機構を用いて具体化されることになり、すなわちバイメタルのブレーカ、自動リセットを有するデジタルヒューズ、自動リセットを有するアナログヒューズ、遮断または調節を有するトランジスタなどである。
【００４６】
例としておよび図面の図８、９、および１０によれば以下のように述べることができ、アダプタ要素６の構成要素として用いられることになる電流制限器アセンブリ７の第１のタイプは、チタン／銅のバイメタルの部片９のペアによって定義され、銅表面は互いに対向し、それらの間に電流制限器１０が挿入され、ポリマーの層および両側面上の銅のそれぞれのシートから構成され、互いに対向する両方のバイメタルの部片９の銅の幅に対応する横断する中央および周辺のくぼみを有し、くぼみはエポキシ樹脂１１または同様の絶縁体によって満たされる。
【００４７】
このようにして図面の図８は、電流制限器アセンブリ７に関して以下を示し、２つの網掛けされた部分はバイメタルの部片９の銅に対応し、それらの周りの外形は、横断する中央および周辺のくぼみに対応するようになり、これは電流制限器１０自体がそれらの間に挿入された２つのバイメタルの部片９に関連して、エポキシ樹脂１１または他の絶縁材料によって満たされるようになる。
【００４８】
図面の図１１、１２、および１３による電流制限器アセンブリ７の第２のタイプは、チタンボックス１２から構成されることができ、チタンストリップ８の一方の端部は挿入された絶縁材料１３によって収容され、絶縁材料１３は２つの電流制限器１０をその中に組み込み、結果として好ましくは第２のタイプは図面の図１３に示されるように、チタンストリップ８の各端部に１つずつ、２つのチタンボックス１２を組み込み、これは端子によってチタンストリップ８に、および電流制限器１０の他の端子によってチタンボックス１２に接続され、言い換えれば電気の流れは垂直配電バー３  −  チタンストリップ８  −  電流制限器１０−チタンボックス１２  −  アノードプレート４となる。
【００４９】
アダプタ当たり１つおよび２つの制限器によって表された場合に基づいて明らかであると考えられるので、アダプタ要素当たり３つ、４つなどの制限器への拡張についての説明を省いたことが留意される。
【００５０】
絶縁材料１３は、エポキシ樹脂もしくはプラスチック材料、または任意の他の等価な材料の層とすることができる。
【００５１】
論理的に、アダプタ要素に関して述べられた構造は同様に、述べられたものと等価な他の実施形態を有することができ、従って図面の図１４において以下がわかり、アダプタ要素６の一部を形成するチタンストリップ８は管状構成を有することができ、対応するアノードプレート４が取り付けられた直角に曲げられた第１のシート１４に関連付けられて、その内側に完全に絶縁されて電流制限器１０を収容することができる。同様に、各端部に１つずつ、直角に曲げられた２つのシート１４が管状ストリップ８の内側から延び、対応するアノードプレート４が２つのシート１４に取り付けられた二重構成も可能である。
【００５２】
同様に図１５の実施形態によれば、アダプタ要素６の一部を形成する電流制限器自体は、チタンストリップ８上に挿入されたエポキシ樹脂のブロック１５内に埋め込まれることができ、２つの部分に分割され、そのチタンストリップ８は、それをそれぞれのアノードプレート４に取り付けることができるように直角に曲げられる。前の場合のようにアダプタ要素は、それを２つのアノードプレート４に取り付けるように二重構成を有することができる。
【００５３】
アノード１当たりの垂直配電バー３およびアノードプレート４の数は、本発明の目的に影響を及ぼさないが、これらの適切な数は設置の性能およびコストを調整することを可能にし、結果として要素の実用的な数は、３個の垂直バー、アノード当たり３０個のアダプタ要素、ただし各１つは２つのアノードプレートに供給し、従ってアノード当たり合計６０個のアノードプレートとなる。さらにアノードプレートは、２５０から１６７０ｃｍ２の面積を有する。
【００５４】
さらに従来型アノードにおいてアノードプレート４の数は１つまたは２つであり、結果として２つのプレートの場合、図面の図１に示されるように表面当たり１つ存在する。本発明の目的はこの従来型モデルに適用されることができるが、その有効性はアノード当たり、より大きな数のアノードプレート４が設置された場合に増加し、およびまたコストおよび設置の難しさは過度に高い値を妨げ、従ってそれら２つの間の妥協が確立される。
【００５５】
我々は、他とは異なるアノードプレートを定義するアノード材料の面積を、両方の面積の間の電気抵抗が十分に高いことを条件に考慮し、それらの一方との陰極接触が確立されたとき、他方は動作の少なくとも３０％程度その電気分解の過程を継続できるように、考慮する。
【００５６】
各アダプタ要素６は少なくとも１つの電流制限器アセンブリ７を備えるようになり、これは短絡の場合に電流を遮断するまたは少なくともその電流を許容できる値に制限するようになり、許容できる値とはアノードの完全性に対して危険でなく、電流の大きな損失を示さない値と考えられる。我々は正常動作または公称電流と同様な値を推奨するが、公称動作電流の値の５倍を超えない短絡電流まで性能に著しい影響を及ぼさずに、より高い値によって動作させ得る。
【００５７】
さらに本発明の第２の目的は、陽極電気分解によって生成される「酸ミスト」の放散を制御することを試みることである。これを行うために、図１に示されるような１０から３０ｍｍの間だけ離れて間隔が置かれた２つの陽極プレート４に供給するアノードに対する、銅などの金属の電解採取のためのセルにおいて、図１７、２０、および２１に示されるように、わずかな角度でアノードプレート４を配置することによって、アノードプレートの角度の結果として、矢印「Ａ」に従って追従される経路を得ることによって、生成された気泡を制御し、経路付けることが可能であり、これは非常に多様な方法で得られることができる。
【００５８】
さらにアノードプレートの角度の大きさを変化させ、下から上に増加する角度によってそれらを配置することで、煙突効果を生じる逆さの魚骨形パターンでの配置が作成され、これは分散を避けることを可能にし、酸性気泡について、それらがアノードのアノードプレートの２つの側面の間で煙突内であるかのように制約され上昇するので、それらの制御された放散を可能にする。
【００５９】
アノードプレートの角度は、述べられたように種々の方法で達成されることができ、まず、第一に図面の図５の電流制限器アセンブリ７を備えたアダプタ要素６は、所望の角度で垂直配電バー３に直接取り付けられることができ、またはチタンストリップ８自体が所望の角度に従って、対応する垂直配電バー３に取り付けられることができ、または図１７および１８に示されるようにチタンストリップ８自体が捻られることができ、その端部は角度が付けられることができ、対応する電流制限器アセンブリが取り付けられたとき、チタンストリップ８に取り付けられたアノードプレートは所望の角度を有するようになる。
【００６０】
上へ向かう気泡の流れをアノードの内側に集中させるこの現象は以下の利点をもたらす：
【００６１】
・  アノードとカソードとの間の電流の通過に対する電解質の抵抗の低減であり、なぜならアノードとカソードとの間の上へ向かう気泡は絶縁体であり、従ってそれらは電解質の実効的な抵抗を増加させるからである；
【００６２】
・  カソードプレート上のより一様な銅堆積；アノードの下方部分でより高い電流密度があり、従って短絡のより高い発生率があり、言い換えれば下方部分上においてわずかに、より大きな銅の厚さがあることがよく知られている。上方部分に集中する気泡が、アノードとカソードとの間から阻止された場合、得られる銅プレートは、銅プレートの上方と下方部分の間の厚さの差がより小さく、より平坦となる；
【００６３】
・  金属の陰極堆積の過程の効率およびその品質に悪影響を及ぼす、これらの気泡がカソードに到達するようになり酸化を引き起こす可能性を低減する、および；
【００６４】
・  大きな割合の酸性気泡が２つの陽極表面の狭い内部領域を通って上昇するとき、煙突の出口における捕集器の設置は、「酸ミスト」の非常に効果的な捕集を可能にし、結果として環境汚染を著しく低減する。
【００６５】
さらに図面の図２２および２３に示される１つの実用的実施形態において、電流制限器アセンブリ（７）は、絶縁材料（１３）を含んだボックス（１２）である少なくとも１つの外部境界と、チタンストリップ（８）である少なくとも１つの内部境界とを備え、少なくとも１つの内部境界は少なくとも１つの外部境界内に部分的にまたは完全に収容され、少なくとも１つの外部境界および少なくとも１つの内部境界は、少なくとも１つの内部境界が取り付けられ、１つまたは複数の垂直配電バー（３）の少なくとも１つの一部分を部分的に包むように、Ｕ字形輪郭を有し、少なくとも１つの外部境界は少なくとも１つのアノードプレート（４）に関連付けられまたは取り付けられる。
【００６６】
この実施形態は、アダプタ要素の生産を簡単にし、生産コストを低減する利点を有する。実際、実施形態は、本発明によるアダプタ要素の製造、統合、および電気効率の観点からの改善をもたらすことができる。製造に関して、チタンストリップ（８）およびボックス（１２）のＵ字形輪郭は、アダプタ要素を組み立てるために必要なチタンの量を効率的に管理および／または低減することを可能にする。容器は、２つのＵ字輪郭から、一方を他方の内側に配置することによって構築され、これらの輪郭は長いストリップにおいて自動的に、および溶接および難しい切断を必要とせずに折り畳み機を用いて高い効率で製造される。加えて電流制限器のリード線を溶接することは、ずっと快適におよび効率的に行われ、それ自体はロボット化されたプロセスに適し、これは非常に競争力のあるコストでの、高い製造能力を意味する。最後に電気効率に関して、電流配電バーをアダプタ自体で包み込むまたは取り囲むことによって、電流経路はアダプタの面に垂直となり、これは最大の断面および回路の最小の長さを意味することが考慮されるべきである。
【００６７】
本明細書で前に述べられた実施形態は、望むならば、煙突効果を可能にする構成において用いられることができる。このような場合アノードプレートが、アノードにおいて行われる電気化学反応からのガス気泡の流れを方向付けるように、垂直位置に対して傾きまたは曲がりを有して搭載されることになる。例えばアノードプレートは、積分記号「∫」のような、またはこの目的にために適切であると当業者なら容易に認識するであろう任意の他の形状に成形されるように曲げられる。あるいはアノードプレートとアダプタ要素との間に、垂直方向に対してある角度でアノードプレートを溶接することを可能にする導電性くさびまたはシェーパーを差し込むことが可能である。
【００６８】
最後に、本発明はさらに以下の実施形態Ａ〜Ｋに関する：
【００６９】
Ａ）吊り下げ構造から構成される垂直アノードのタイプの電気化学セルのための安全なアノードであって、
−  水平電流供給導体バーと、
−  電流供給バーに接続された垂直配電バーであって、
・銅またはアルミニウムコア、および
・チタン外層または外皮
によって定義された配電バーと、
−  コーティングされ、垂直配電バーに関連付けられた少なくとも１つのチタンアノードプレートと
に基づき、安全なアノード（１）は、垂直配電バー（３）の少なくとも１つと少なくとも１つのコーティングされたチタンアノードプレート（４）との間に配置された安全アノードアダプタ要素（６）を組み込み、そのアダプタ要素（６）は電流制限器（１０）がその中に一体化された少なくとも１つの電流制限器アセンブリ（７）を備え、これは垂直配電バー（３）およびコーティングされたチタンアノードプレート（４）に関連付けられ、垂直配電バー（３）をコーティングされたチタンアノードプレート（４）に接続することを特徴とする、電気化学セルのための安全なアノード。
【００７０】
Ｂ）項目Ａの実施形態による電気化学セルのための安全なアノードであって、安全なアノードのアダプタ要素（６）は、電流制限器（１０）がその中に一体化され、垂直配電バー（３）およびコーティングされたチタンアノードプレート（４）に取り付けられた、電流制限器アセンブリ（７）によって定義されることを特徴とする、電気化学セルのための安全なアノード。
【００７１】
Ｃ）項目Ａの実施形態による電気化学セルのための安全なアノードであって、安全なアノードのアダプタ要素（６）は、少なくとも１つの電流制限器アセンブリ（７）を保持するチタンストリップ（８）によって定義され、チタンストリップ（８）は垂直配電バー（３）に取り付けられ、対応するコーティングされたチタンアノードプレート（４）は電流制限器アセンブリ（７）に取り付けられることを特徴とする、電気化学セルのための安全なアノード。
【００７２】
Ｄ）項目ＡおよびＣの実施形態による電気化学セルのための安全なアノードであって、安全なアノードのアダプタ要素（６）は、各端部に１つずつ、２つの電流制限器アセンブリ（７）を保持するチタンストリップ（８）によって定義され、チタンストリップ（８）は垂直配電バー（３）に取り付けられ、対応するコーティングされたチタンアノードプレート（４）は電流制限器アセンブリ（７）のペアに取り付けられることを特徴とする、電気化学セルのための安全なアノード。
【００７３】
Ｅ）項目Ａの実施形態による電気化学セルのための安全なアノードであって、少なくとも１つの電流制限器アセンブリ（７）を備えた安全なアノードのアダプタ要素（６）は、対応する垂直配電バー（３）に取り付けられ、垂直平面に対してわずかな角度を定義し、アダプタ要素（６）に取り付けられたコーティングされたチタンアノードプレート（４）は同じ角度を有することを特徴とする、電気化学セルのための安全なアノード。
【００７４】
Ｆ）項目Ｅの実施形態による電気化学セルのための安全なアノードであって、少なくとも１つの電流制限器アセンブリ（７）を備えたアノードのアダプタ要素（６）は、それらのわずかな搭載角度において異なる大きさを有することができ、それらに関連付けられたアノードプレート（４）も、垂直平面に対して異なる角度に応じて角度が付けられることを特徴とする、電気化学セルのための安全なアノード。
【００７５】
Ｇ）項目Ｆの実施形態による電気化学セルのための安全なアノードであって、少なくとも１つの電流制限器アセンブリ（７）を備え、それらのわずかな搭載角度において異なる大きさを有するアノードのアダプタ要素（６）は、対応する第２の垂直配電バー（３）に沿って、下から上へ増加する大きさを有して取り付けられ、煙突効果を引き起こすことを特徴とする、電気化学セルのための安全なアノード。
【００７６】
Ｈ）項目Ｃの実施形態による電気化学セルのための安全なアノードであって、アダプタ要素（６）の一部を形成するチタンストリップ（８）は管状構成を有し、直角に曲げられ少なくとも１つのシート（１４）に関連付けられたその中央内部部分に電流制限器（１０）を組み込み、シート（１４）は外側に延び、対応するアノードプレート（４）がシート（１４）に取り付けられることを特徴とする、電気化学セルのための安全なアノード。
【００７７】
Ｉ）項目Ｃの実施形態による電気化学セルのための安全なアノードであって、アダプタ要素（６）の一部を形成するチタンストリップ（８）は、その上に挿入されたエポキシ樹脂または同様の材料のブロック（１５）を有し、その中に電流制限器（１０）が埋め込まれることを特徴とする、電気化学セルのための安全なアノード。
【００７８】
Ｊ）項目Ａの実施形態による電気化学セルのための安全なアノードであって、アダプタ要素（６）の一部を形成し、電流制限器（１０）がその中に一体化される電流制限器アセンブリ（７）は、チタンストリップ（８）を収容したボックス（１２）によって定義され、チタンストリップ（８）はそれを含んだボックス（１２）の絶縁材料（１３）によって絶縁され、その絶縁材料（１３）は、端子によって中間チタンストリップ（８）に、および他方の端子によってボックス（１２）に接続された２つの電流制限器（１０）を組み込むことを特徴とする、電気化学セルのための安全なアノード。
【００７９】
Ｋ）項目Ａの実施形態による電気化学セルのための安全なアノードであって、アダプタ要素（６）の一部を形成し、電流制限器（１０）がその中に一体化された電流制限器アセンブリ（７）は、バイメタルのチタン／銅の部片（９）のペアによって定義され、銅表面は互いに対向し、それらの間に電流制限器（１０）が挿入され、ポリマー層および両側面上の銅のそれぞれの層から構成され、両方の相対するバイメタルの部片（９）の銅の幅に対応する横断する中央および周辺のくぼみを有し、くぼみはエポキシ樹脂（１１）または同様の絶縁体によって満たされることを特徴とする、電気化学セルのための安全なアノード。
【図１】
2019516019.tif 000002
【図２】
2019516019.tif 000003
【図３】
2019516019.tif 000004
【図４】
2019516019.tif 000005
【図５】
2019516019.tif 000006
【図６】
2019516019.tif 000007
【図７】
2019516019.tif 000008
【図８】
2019516019.tif 000009
【図９】
2019516019.tif 000010
【図１０】
2019516019.tif 000011
【図１１】
2019516019.tif 000012
【図１２】
2019516019.tif 000013
【図１３】
2019516019.tif 000014
【図１４】
2019516019.tif 000015
【図１５】
2019516019.tif 000016
【図１６】
2019516019.tif 000017
【図１７】
2019516019.tif 000018
【図１８】
2019516019.tif 000019
【図１９】
2019516019.tif 000020
【図２０】
2019516019.tif 000021
【図２１】
2019516019.tif 000022
【図２２】
2019516019.tif 000023
【図２３】
2019516019.tif 000024
【国際調査報告】
2019516019.tif 000025
2019516019.tif 000026
2019516019.tif 000027